(57)【要約】【課題】  一枚のベースフィルムに、独立した２または２を超える数の非接触ＩＣタグ回路を配置し、かつ１の回路を水濡れにより機能を喪失する特性とすることにより、非接触ＩＣタグの機能と水濡れ検知機能を合わせ持たせる。【解決手段】  本情報記録媒体は、共通の表面保護シート１、または同一のベースフィルム面に、アンテナ構造１２ａ，１２ｂと当該アンテナ構造に結合したＩＣチップとを有し、正常状態において実質的に同一特性の機能を行う２または２を超える数の非接触ＩＣタグ回路が隣接して配置されている情報記録媒体において、当該複数の非接触ＩＣタグ回路のうち、いずれか１の非接触ＩＣタグ回路は水溶性ベースフィルム１１ａ面に形成されているため、水濡れの際はベースフィルムが溶解して非接触通信機能を喪失するようにされていることを特徴とする。【選択図】    図１
2006350513.tif 000002
【特許請求の範囲】
【請求項１】
共通の表面保護シートにアンテナ構造と当該アンテナ構造に結合した非接触通信機能部、制御部およびメモリを備えるＩＣチップとを有し、正常状態において実質的に同一特性の機能を行う独立した２または２を超える数の非接触ＩＣタグ回路が隣接して配置されている情報記録媒体において、当該複数の非接触ＩＣタグ回路のうち、いずれか１の非接触ＩＣタグ回路は水溶性ベースフィルム面に形成されているため、水濡れの際はベースフィルムが溶解して非接触通信機能を喪失するようにされていることを特徴とする情報記録媒体。
【請求項２】
水溶性ベースフィルム面に形成された１の非接触ＩＣタグ回路のアンテナ構造の一部は、水溶性導電性樹脂組成物インキにより形成されていることを特徴とする請求項１記載の情報記録媒体。
【請求項３】
表面保護シートの前記１の非接触ＩＣタグ回路に対面する部分には水が容易に浸入可能なように開口が形成されていることを特徴とする請求項１記載の情報記録媒体。
【請求項４】
表面保護シートの前記１の非接触ＩＣタグ回路の水溶性導電性樹脂組成物インキによるアンテナ構造の一部に対面する部分には水が容易に浸入可能な開口が形成されていることを特徴とする請求項２記載の情報記録媒体。
【請求項５】
アンテナ構造と当該アンテナ構造に結合した非接触通信機能部、制御部およびメモリを備えるＩＣチップとを有し、正常状態において実質的に同一特性の機能を行う独立した２または２を超える数の非接触ＩＣタグ回路が同一ベースフィルム面に隣接して配置されている情報記録媒体において、当該複数の非接触ＩＣタグ回路のうち、いずれか１の非接触ＩＣタグ回路は水溶性樹脂層を介して短絡材料により覆われているため、水濡れの際は当該水溶性樹脂層が溶解して短絡することにより非接触通信機能を喪失するようにされていることを特徴とする情報記録媒体。
【請求項６】
情報記録媒体の非接触ＩＣタグ回路が表面保護シートで被覆されていて、前記１の非接触ＩＣタグ回路の前記短絡材料に対面する部分には水が容易に浸入可能な開口が形成されていることを特徴とする請求項５記載の情報記録媒体。
【請求項７】
アンテナ構造と当該アンテナ構造に結合した非接触通信機能部、制御部およびメモリを備えるＩＣチップとを有し、正常状態において実質的に同一特性の機能を行う独立した２または２を超える数の非接触ＩＣタグ回路が同一ベースフィルム面に隣接して配置されている情報記録媒体において、当該複数の非接触ＩＣタグ回路のうち、いずれか１の非接触ＩＣタグ回路のアンテナ構造の少なくとも一部は水溶性導電性樹脂組成物インキにより形成されているため、水濡れの際は当該水溶性導電性樹脂組成物インキによる一部のアンテナ構造が溶解して非接触通信機能を喪失するようにされていることを特徴とする情報記録媒体。
【請求項８】
情報記録媒体の非接触ＩＣタグ回路が表面保護シートで被覆されていて、前記１の非接触ＩＣタグ回路の前記水溶性導電性樹脂組成物インキによる前記一部のアンテナ構造に対面する部分には水が容易に浸入可能な開口が形成されていることを特徴とする請求項７記載の情報記録媒体。
【請求項９】
請求項１ないし請求項８のいずれか１の請求項記載の情報記録媒体を使用し、当該２または２を超える数の非接触ＩＣタグ回路のＩＣチップに対して、同一の情報を記録した後、当該情報記録媒体の全ての非接触ＩＣタグ回路のＩＣチップから前記記録した情報を読み取りして、読み取りが不可能な非接触ＩＣタグ回路を検出した場合は、情報記録媒体の水濡れしたことを推定することを特徴とする情報記録媒体の状態検知方法。
【発明の詳細な説明】
【技術分野】
【０００１】
本発明は、情報記録媒体と当該情報記録媒体の状態検知方法に関する。詳しくは、共通の表面保護シート、または共通のベースフィルム面に独立した２または２を超える数の非接触ＩＣタグ回路が隣接して配置されている情報記録媒体であって、当該情報記録媒体の１の非接触ＩＣタグ回路が水濡れした場合は機能を喪失するようにした情報記録媒体に関し、また、当該情報記録媒体を使用した状態検知方法に関する。
本発明の情報記録媒体は、通常の非接触ＩＣタグとして用いられるが、特に水濡れ履歴が問題となる商品等に用いて履歴を確実に検知する情報記録媒体として好適に用いられるものである。本発明の情報記録媒体の利用分野は、運送や流通、商品流通管理、工場工程管理、商品の配送や荷物の取り扱いの分野であり、具体的な用途としては荷札、ラベル、伝票、チケット類、となる。
【背景技術】
【０００２】
非接触ＩＣタグは、情報を記録して保持し非接触で外部装置と交信して情報交換できるので、運送や物流等における認識媒体として、あるいは商品の品質管理、在庫管理等の識別媒体のように、各種目的に多用されるようになってきている。
しかし、商品の流通や在庫管理の過程で、水濡れして事故となる場合があるが、その状況や経過が明確に把握できない場合がある。防水性が無い商品に、水濡れ検知ラベルを貼付し、当該ラベルの発色状態を目視で比較する検知手段もあるが、判定には経験が必要であり時間がかかるという問題がある。
【０００３】
そこで、本発明は商品等に確実に用いられるようになってきた非接触ＩＣタグに対して、水濡れ検知機能という異質の機能を付加することで、独自の需要用途に対応しようとするものである。
水濡れ検知方法や水濡れ判定ラベルに関する先行技術としては、特許文献１や特許文献２があるが、本願に直接関係するものではない。また、特許文献３は、ＩＣカードに水濡れ検知機能を付加する技術に関するが、水に濡れると色調変化を生じる試薬を使用するもので、このものも本願に直接関係はしない。
【０００４】
【特許文献１】特開２０００−１０５２３０号公報
【特許文献２】特開２００１−３５６６９０号公報
【特許文献３】特願２００３−４０５２９３号
【発明の開示】
【発明が解決しようとする課題】
【０００５】
本発明は共通の表面保護シート、または同一ベースフィルム面に、２または２を超える数の非接触ＩＣタグ回路を形成し、当該複数の非接触ＩＣタグ回路のうち、いずれか１の非接触ＩＣタグ回路が水濡れにより機能を喪失する特性にすることを課題とする。
これにより、商品等に用いる非接触ＩＣタグであるが、同時に水濡れ履歴を記録する特徴を備え、そのような目的用途に利用しようとするものである。
【課題を解決するための手段】
【０００６】
上記課題を解決する本発明の要旨の第１は、共通の表面保護シートにアンテナ構造と当該アンテナ構造に結合した非接触通信機能部、制御部およびメモリを備えるＩＣチップとを有し、正常状態において実質的に同一特性の機能を行う独立した２または２を超える数の非接触ＩＣタグ回路が隣接して配置されている情報記録媒体において、当該複数の非接触ＩＣタグ回路のうち、いずれか１の非接触ＩＣタグ回路は水溶性ベースフィルム面に形成されているため、水濡れの際はベースフィルムが溶解して非接触通信機能を喪失するようにされていることを特徴とする情報記録媒体、にある。
【０００７】
上記情報記録媒体において、水溶性ベースフィルム面に形成された１の非接触ＩＣタグ回路のアンテナ構造の一部は、水溶性導電性樹脂組成物インキにより形成されていることが、アンテナ構造の溶解を促進できて好ましい。また、表面保護シートの前記１の非接触ＩＣタグ回路に対面する部分には水が容易に浸入可能な開口が形成されていることが、確実な水濡れができて好ましい。またさらに、表面保護シートの前記１の非接触ＩＣタグ回路の水溶性導電性樹脂組成物インキによるアンテナ構造の一部に対面する部分には水が容易に浸入可能な開口が形成されていること、も同様の理由で好ましい。
【０００８】
本発明の要旨の第２は、アンテナ構造と当該アンテナ構造に結合した非接触通信機能部、制御部およびメモリを備えるＩＣチップとを有し、正常状態において実質的に同一特性の機能を行う独立した２または２を超える数の非接触ＩＣタグ回路が同一ベースフィルム面に隣接して配置されている情報記録媒体において、当該複数の非接触ＩＣタグ回路のうち、いずれか１の非接触ＩＣタグ回路は水溶性樹脂層を介して短絡材料により覆われているため、水濡れの際は当該水溶性樹脂層が溶解して短絡することにより非接触通信機能を喪失するようにされていることを特徴とする情報記録媒体、にある。
【０００９】
上記情報記録媒体において、情報記録媒体の非接触ＩＣタグ回路が表面保護シートで被覆されていて、前記１の非接触ＩＣタグ回路の前記短絡材料に対面する部分には水が容易に浸入可能な開口が形成されていること、が水溶性樹脂層の溶解による短絡を促進できて好ましい。
【００１０】
本発明の要旨の第３は、アンテナ構造と当該アンテナ構造に結合した非接触通信機能部、制御部およびメモリを備えるＩＣチップとを有し、正常状態において実質的に同一特性の機能を行う独立した２または２を超える数の非接触ＩＣタグ回路が同一ベースフィルム面に隣接して配置されている情報記録媒体において、当該複数の非接触ＩＣタグ回路のうち、いずれか１の非接触ＩＣタグ回路のアンテナ構造の少なくとも一部は水溶性導電性樹脂組成物インキにより形成されているため、水濡れの際は当該水溶性導電性樹脂組成物インキによる一部のアンテナ構造が溶解して非接触通信機能を喪失するようにされていることを特徴とする情報記録媒体、にある。
【００１１】
上記情報記録媒体において、情報記録媒体の非接触ＩＣタグ回路が表面保護シートで被覆されていて、前記１の非接触ＩＣタグ回路の前記水溶性導電性樹脂組成物インキによる前記一部のアンテナ構造に対面する部分には水が容易に浸入可能な開口が形成されていること、は水溶性導電性樹脂組成物インキによる前記一部のアンテナ構造の溶解を促進できて好ましい。
【００１２】
本発明の要旨の第４は、請求項１ないし請求項８のいずれか１の請求項記載の情報記録媒体を使用し、当該２または２を超える数の非接触ＩＣタグ回路のＩＣチップに対して、同一の情報を記録した後、当該情報記録媒体の全ての非接触ＩＣタグ回路のＩＣチップから前記記録した情報を読み取りして、読み取りが不可能な非接触ＩＣタグ回路を検出した場合は、情報記録媒体が水濡れしたことを推定することを特徴とする情報記録媒体の状態検知方法、にある。
【発明の効果】
【００１３】
本発明の情報記録媒体には２または２を超える数の非接触ＩＣタグ回路が形成されており、当該複数の非接触ＩＣタグ回路のうち、いずれか１の非接触ＩＣタグ回路が、水濡れ時に機能を喪失するようにされているので、媒体の使用後に各非接触ＩＣタグ回路の機能をチェックし機能不良を検知すれば、水濡れ履歴を確実に知ることができる。
また、本発明の情報記録媒体は通常の非接触ＩＣタグとして利用することもでき、その場合には、複数の各非接触ＩＣタグ回路のＩＣチップに共通の情報を重複して記録することができる。これにより、情報記録の確実性を図ることができる。
本発明の情報記録媒体による状態検知方法によれば、情報記録媒体の水濡れの履歴を確実に検知することができる。
【発明を実施するための最良の形態】
【００１４】
本発明の情報記録媒体について、以下図面を参照して説明する。
図１は、本発明の第１実施形態の情報記録媒体の平面図、図２は、同断面図、図３は、第２実施形態の情報記録媒体の平面図、図４は、同断面図、図５は、第３実施形態の情報記録媒体の平面図、図６は、同断面図、である。
【００１５】
図１は、本発明の第１実施形態の情報記録媒体の例を示す平面図であるが、表面保護シートを透視した状態を示している。なお、図１では、便宜的に２つの非接触ＩＣタグ回路を図示しているが、２を超える数の非接触ＩＣタグ回路が形成されていても良いものである。図１の右端が波線にされているのは、当該部分に連続して回路が形成される場合もあることを意味している。図２以下の各図も同様である。
【００１６】
図１のように、本発明の第１実施形態の情報記録媒体１０は、共通の表面保護シートの下に、２つ（または２を超える数）の非接触ＩＣタグ回路１０ａ，１０ｂが隣接して配置されている。非接触ＩＣタグ回路１０ａは、アンテナ構造１２ａと当該アンテナ構造に結合したＩＣチップ１３ａを有し、非接触ＩＣタグ回路１０ｂはアンテナ構造１２ｂと当該アンテナ構造に結合したＩＣチップ１３ｂを有している。ＩＣチップ１３ａ，１３ｂはアンテナの端部ｔ１，ｔ２に装着されている。ＩＣチップ１３ａ，１３ｂは、非接触通信機能部と制御部および情報記憶用のメモリを備える通常のものである。図２以下の各図のものも同様である。
【００１７】
アンテナ構造１２ａ，１２ｂは、図１の場合、平面な捲線コイル状にされているが、平面状のダイポール型やパッチ型アンテナであってもよいものである。ダイポール型やパッチ型アンテナは通常、２つに分離したアンテナ片がＩＣチップに結合しているが、所定のアンテナ長や面積に調整されているので、設計された形状が損傷を受ければ非接触通信機能に不具合を生じるのは同様だからである。
これら２つ（または２を超える数）の非接触ＩＣタグ回路１０ａ，１０ｂは実質的に同一特性であるように調整され相互に電気的に接続せず干渉も生じないようにされている。  なお、２を超える数とは具体的には３以上の数である。３以上とは特に上限はないが、実際には１０程度と考えれば十分である。
【００１８】
図２は、図１のＩＣチップ１３ａ，１３ｂをとおる部分の断面図である。
本発明の第１実施形態の情報記録媒体１０は、ベースフィルム１１ａ，１１ｂのアンテナ構造１２ａ，１２ｂ面には、接着剤層５を介してプラスチックフィルムまたは紙基材からなる共通の表面保護シート１により被覆されている。アンテナ構造１２ａ，１２ｂやＩＣチップ１３ａ，１３ｂが直接外面に露出しないようにするためである。
図示の都合上、アンテナ構造１２ａ，１２ｂと接着剤層５との間は、隙間が空いているように見えるが実際は密着しているものである。以下の図４、図６も同様である。
以上の構成は、２つの非接触ＩＣタグ回路を有すること以外は、通常の非接触ＩＣタグと同様のものである。ベースフィルム１１ａ，１１ｂの下面には、情報記録媒体１０を被着体（物品）に貼着するための粘着剤層６を有し、剥離紙７で保護されている。
【００１９】
第１実施形態の情報記録媒体１０の特徴は、ベースフィルム１１ａまたはベースフィルム１１ｂのいずれかが、水溶性ベースフィルムからなることである。水濡れにより水溶性ベースフィルムを溶解させることを目的とするものである。溶解までしなくても水溶性フィルムが吸水すれば、絶縁性が低下しアンテナ構造の特性が低下する。２を超える数の非接触ＩＣタグ回路がある場合も、いずれか１の非接触ＩＣタグ回路のベースフィルムが水溶性ベースフィルムであればよい。１のベースフィルムにより水濡れの履歴が把握できるからである。図１では便宜的にベースフィルム１１ａが水溶性であるものとする。
【００２０】
第１実施形態の情報記録媒体１０では、ベースフィルム１１ａが水溶性であるため、水濡れした際には、ベースフィルム１１ａが溶解して非接触ＩＣタグ回路１０ａが短絡するか破壊して、あるいは絶縁性が低下して非接触通信機能を喪失する。
非接触ＩＣタグ回路１０ａの短絡または破壊を促進するため、アンテナ構造１２ａの一部は、水溶性導電性樹脂組成物インキからなるパターンとしてもよい。例えば、アンテナ構造の一部（例として、破線の円形Ｃ部分）を水溶性導電性樹脂組成物インキにより印刷しておけば、水濡れにより速やかに溶解して短絡することになる。
【００２１】
また、他の変形実施形態として、表面保護シート１の水溶性ベースフィルム１１ａからなる非接触ＩＣタグ回路１０ａに対面する部分には水が容易に浸入可能なように開口Ｓが形成されていることも好ましい。表面保護シート１がプラスチックフィルムからなる場合は、ベースフィルム１１ａの水濡れが遅くなるので、当該開口Ｓを介して速やかに水が浸入するようにするためである。開口Ｓは例えば、径数ｍｍから２０ｍｍ程度の円形、または一辺が数ｍｍから２０ｍｍ程度の矩形状等ものとすることができる。
水溶性導電性樹脂組成物インキによる印刷部（円形Ｃ部分）と開口Ｓが一致する場所であってもよい。この場合は、水溶性導電性樹脂組成物インキからなるアンテナ構造の一部の溶解が一層促進される。
【００２２】
図３は、第２実施形態の情報記録媒体を示す平面図である。
第２実施形態の情報記録媒体２０は、同一のベースフィルム２１面に、２つ（または２を超える数）の非接触ＩＣタグ回路２０ａ，２０ｂが隣接して配置されている。
第２実施形態の場合のベースフィルム２１は水溶性である必要はなく、通常のプラスチックフィルムを共通に使用できる。非接触ＩＣタグ回路２０ａは、アンテナ構造２２ａと当該アンテナ構造に結合したＩＣチップ２３ａを有し、非接触ＩＣタグ回路２０ｂはアンテナ構造２２ｂと当該アンテナ構造に結合したＩＣチップ２３ｂを有している。ＩＣチップ２３ａ，２３ｂはアンテナの端部ｔ１，ｔ２に装着されている。
アンテナ構造２２ａ，２２ｂが平面状のダイポール型やパッチ型アンテナであってもよいのは第１実施形態の場合と同様である。以下の実施形態も同様である。
これら２つ（または２を超える数）の非接触ＩＣタグ回路２０ａ，２０ｂは実質的に同一特性であるように調整され相互に電気的に接続せず干渉も生じないようにされている。    
【００２３】
第２実施形態の情報記録媒体２０の特徴は、２つ（または２を超える数）の非接触ＩＣタグ回路２０ａ，２０ｂのうち、いずれか１の非接触ＩＣタグ回路が、水溶性樹脂層２を介して短絡材料３により覆われていることである。図３の例では、非接触ＩＣタグ回路２０ａの一部が短絡材料３により覆われているものとする。これにより、情報記録媒体２０が水濡れした際は当該水溶性樹脂層２が、まず溶解し、次に短絡材料３が非接触ＩＣタグ回路２０ａに接触することにより回路が短絡し、情報記録媒体２０は非接触通信機能を喪失することになる。水溶性樹脂層２や短絡材料３の材質については後述する。
【００２４】
図４は、第２実施形態の断面図であるが、水溶性樹脂層２と短絡材料３、ＩＣチップ２３ａ，２３ｂをとおる部分の断面を示している。
図４のように、第２実施形態の情報記録媒体２０は、ベースフィルム２１のアンテナ構造２２ａ，２２ｂ面には、通常は接着剤層５を介してプラスチックフィルムまたは紙基材からなる表面保護シート１により被覆されている。ただし、第２実施形態では表面保護シート１を使用しない場合であってもよい。短絡材料３には水溶性の導電性材料や金属粉末、金属箔等を使用できる。薄層の水溶性樹脂層２を介してアンテナ構造２２ａの上に置かれるので、情報記録媒体２０が水濡れした場合は、当該水溶性樹脂層２が速やかに溶解して短絡材料３が非接触ＩＣタグ回路２０ａに接触することになる。
【００２５】
情報記録媒体２０が表面保護シート１により被覆されている場合、特に表面保護シートがプラスチックフィルムである場合には、水浸透が妨げられるので、当該短絡材料３がある部分には、水浸入可能なように開口Ｓが形成されているのが好ましい。開口Ｓと短絡材料３の設置部分は重なる位置とする。ベースフィルム２１の下面には、情報記録媒体２０を被着体（物品）に貼着するための粘着剤層６を有し、剥離紙７で保護されている。
【００２６】
図５は、第３実施形態の情報記録媒体の平面図である。
第３実施形態の情報記録媒体３０も、同一のベースフィルム３１面に、２つ（または２を超える数）の非接触ＩＣタグ回路３０ａ，３０ｂが隣接して配置されている。
第３実施形態の場合のベースフィルム３１も水溶性である必要はなく、通常のプラスチックフィルムを共通に使用できる。非接触ＩＣタグ回路３０ａは、アンテナ構造３２ａと当該アンテナ構造に結合したＩＣチップ３３ａを有し、非接触ＩＣタグ回路３０ｂはアンテナ構造３２ｂと当該アンテナ構造に結合したＩＣチップ３３ｂを有している。ＩＣチップ３３ａ，３３ｂはアンテナの端部ｔ１，ｔ２に装着されている。
これら２つ（または２を超える数）の非接触ＩＣタグ回路３０ａ，３０ｂは実質的に同一特性であるように調整され相互に電気的に接続せず干渉も生じないようにされている。    
【００２７】
第３実施形態の情報記録媒体３０の特徴は、２つ（または２を超える数）の非接触ＩＣタグ回路３０ａ，３０ｂのうち、いずれか１の非接触ＩＣタグ回路のアンテナ構造の少なくとも一部が水溶性導電性樹脂組成物インキにより形成されていることである。少なくとも一部であるから全体が当該組成物インキにより形成されていても構わない。
図５の例では、非接触ＩＣタグ回路３０ａの一部、例えば、破線の円形Ｃ部分を水溶性導電性樹脂組成物インキによりアンテナ構造３２ｂの印刷をしておけば、水濡れにより速やかに溶解して短絡することになる。これにより、情報記録媒体３０が水濡れした際は当該水溶性導電性樹脂が溶解して短絡し情報記録媒体３０は非接触通信機能を喪失することになる。
【００２８】
図６は、第３実施形態の断面図であるが、水溶性導電性樹脂組成物インキによる回路部（破線の円形Ｃ部分）と、ＩＣチップ３３ａ，３３ｂをとおる部分の断面を示している。  図６の断面図のように、第３実施形態の情報記録媒体３０は、ベースフィルム３１ａ，３１ｂのアンテナ構造３２ａ，３２ｂ面には、通常は接着剤層５を介してプラスチックフィルムまたは紙基材からなる表面保護シート１により被覆されている。ただし、第３実施形態では表面保護シート１は必須のものではない。
水溶性導電性樹脂組成物インキによる回路部分（破線の円形Ｃ部分）は、情報記録媒体３０が水濡れした場合は、当該回路部分が溶解するので情報記録媒体３０は非接触通信機能を喪失することになる。
【００２９】
情報記録媒体３０が表面保護シート１により被覆されている場合、特に表面保護シート１が、プラスチックフィルムである場合には、水浸透が妨げられるので、当該回路（破線の円形Ｃ部分）がある部分には、水が容易に浸入可能なように開口Ｓが形成されていることが好ましい。ベースフィルム３１の下面には、情報記録媒体３０を被着体（物品）に貼着するための粘着剤層６を有し、剥離紙７で保護されている。
【００３０】
本発明の情報記録媒体の使用方法は、上記の各実施形態の説明と共に概略説明してきたが、以下、なお補足して説明する。
［第１の使用方法］
第１の使用方法は、本来的な使用方法である水濡れ検知のための使用方法である。本発明の情報記録媒体は複数の非接触ＩＣタグ回路を有しているが、いずれの実施形態の場合も、そのいずれか１の非接触ＩＣタグ回路は水濡れの際、ベースフィルムが溶解するか、非接触ＩＣタグ回路が短絡材料に接触するか、非接触ＩＣタグ回路自体が溶解するか、いずれかの状態により非接触通信機能を喪失するようにされている。
したがって、製品等に本発明の情報記録媒体を貼付してある場合、当該製品が所定の経路で輸送された場合、所定の期間保管された場合、所定の処理を受けた場合、いずれかの過程で情報記録媒体が水濡れに遭遇した場合、情報記録媒体が非接触通信機能を喪失するか不調になるので、当該経過の後の情報記録媒体をリーダライタで読み取りし、読み取り不可能な非接触ＩＣタグ回路を検知した場合は、当該経過または処理の間に製品等が水濡れを受けたことを推定することができる。
【００３１】
なお、本発明では特に請求項では言及していないが、水濡れの時期を経過的に記録する目的で、複数の非接触ＩＣタグ回路が、同時期に読み込みまたは書き込みした非接触ＩＣタグ回路のＩＣチップのユニーク番号を相互に記録することにより、相手のユニーク番号の記録の途絶えた時期により、水濡れの時期を推定できるようにすることもできるものである。
【００３２】
［第２の使用方法］
第２の使用方法は、同一特性の各非接触ＩＣタグ回路に同一の情報を重複して記録することである。情報処理技術におけるミラーリングに相当する記録方法である。この場合は、データに冗長性を持たせることと、通信状態が不安定である際に、情報記録の確実性を確保する目的のためである。この場合、同一特性の非接触ＩＣタグ回路が、同一のリーダライタの非接触通信領域に複数存在することになるので、通信のコリジョンが生じることもあり得るが、コリジョンを排して通信する技術が確立しており、実質的には同一時間内であるが、順次、非接触ＩＣタグ回路を選択して非接触通信が行われることになる。
なお、水濡れにより１の非接触ＩＣタグ回路が通信機能を喪失しても、いずれか１の非接触ＩＣタグ回路から情報が読み取りできれば、情報記録の目的は達成できる。
【００３３】
次に、本発明の情報記録媒体の製造工程について説明する。本発明の情報記録媒体は、大略通常の非接触ＩＣタグの製造工程で製造できるが、水溶性ベースフィルムを用いる場合、短絡材料を使用する場合、水溶性導電性樹脂組成物インキを使用する場合、の製造方法を検討する必要がある。以下、その実施形態毎に概略を説明する。
【００３４】
［第１実施形態の場合］
まず、水溶性のベースフィルム１１ａと通常のプラスチックフィルムからなるベースフィルム１１ｂを準備する。次に、それぞれのベースフィルム１１ａにアンテナ構造１２ａ、ベースフィルム１１ｂにアンテナ構造１２ｂ，１２ｃ，・を必要数フォトエッチングや印刷等の工程で製造する。フォトエッチングの場合は、目的の情報記録媒体１０の形態のフォトマスクを準備する。ベースフィルム１１ａ，１１ｂには通常、アルミニュウムまたは銅箔をラミネートした基材を使用する。
【００３５】
アンテナ構造が平面コイル状の場合、コイル線幅は、通常０．２ｍｍから１．０ｍｍ程度の範囲に形成する。次に、当該アンテナ構造１２ａ，１２ｂ，・の両端ｔ１，ｔ２にＩＣチップ１３ａ，１３ｂ，・を結合する。ＩＣチップ１３ａを結合したベースフィルム１１ａとＩＣチップ１３ｂ，１３ｃ，・を結合したベースフィルム１１ｂとを組み合わせしてから、プラスチックフィルムまたは紙からなる表面保護シート１にラミネートする。
ベースフィルム１１ａ，１１ｂのアンテナ構造とは反対側の面に、剥離紙７に粘着剤層６を設けて貼り付けする。
【００３６】
請求項２のように、水溶性導電性樹脂組成物インキによる回路を設ける場合、例えば、図１の破線状の円形Ｃ部分を当該インキによるパターンとする場合は、当該部分のフォトマスクは欠損したものとして金属箔をフォトエッチングして除去し、後から欠損部分に対してシルクスクリーン印刷等によりパターンを追加する印刷を行う必要がある。
請求項３のように、表面保護シート１に開口Ｓを形成する場合は、あらかじめ開口Ｓを打ち抜きしておいてからベースフィルム１１ａ，１１ｂにラミネートすることになる。
【００３７】
［第２実施形態の場合］
第２実施形態では、通常のプラスチックフィルムからなるベースフィルム２１のみを使用する。ベースフィルム２１にアンテナ構造２２ａ、２２ｂ，・を必要数フォトエッチングや印刷等の工程で製造する。フォトエッチングの場合は、目的の情報記録媒体２０の形態のフォトマスクを準備する。
【００３８】
次に、当該アンテナ構造２２ａ，２２ｂ，・の両端ｔ１，ｔ２にＩＣチップ２３ａ，２３ｂ，・を結合する。ＩＣチップ２３ａを結合した非接触ＩＣタグ回路のアンテナ構造２２ａの一部には、水溶性樹脂層２を介して短絡材料３を塗布または載置する。水溶性樹脂層２は塗工した層が好ましいが、薄層の水溶性フィルムであってもよい。短絡材料３には導電性インキや水溶性導電性インキ、あるいは金属箔、金属粉末等を使用できる。
これらの処理を行った非接触ＩＣタグ回路２０ａと、未処理状態の非接触ＩＣタグ回路２０ｂ，２０ｃ，・の面に、プラスチックフィルムまたは紙からなる表面保護シート１をラミネートする。ベースフィルム２１のアンテナ構造とは反対側の面に、剥離紙７に粘着剤層６を設けて貼り付けする。
請求項６のように、表面保護シート１に開口Ｓを形成する場合は、あらかじめ開口Ｓを打ち抜きしておいてからベースフィルム２１にラミネートすることになる。
【００３９】
［第３実施形態の場合］
第３実施形態では、通常のプラスチックフィルムからなるベースフィルム３１のみを使用する。ベースフィルム３１にアンテナ構造３２ａ、３２ｂ，３２ｃ，・を必要数フォトエッチングや印刷等の工程で製造する。フォトエッチングの場合は、目的の情報記録媒体３０の形態のフォトマスクを準備する。
【００４０】
次に、当該アンテナ構造３２ａ，３２ｂ，・の両端ｔ１，ｔ２にＩＣチップ３３ａ，３３ｂ，・を結合する。ＩＣチップ３３ａを結合した非接触ＩＣタグ回路３０ａのアンテナ構造３２ａの一部には、水溶性導電性樹脂組成物インキによる回路を設ける。例えば、図５の破線状の円形Ｃ部分を当該インキによるパターンとする場合は、当該部分のフォトマスクは欠損したものとして金属箔をフォトエッチングして除去し、後から欠損部分に対してシルクスクリーン印刷等によりパターンを追加する印刷を行う必要がある。
請求項８のように、表面保護シート１に開口Ｓを形成する場合は、あらかじめ開口Ｓを打ち抜きしておいてからベースフィルム３１にラミネートすることになる。
【００４１】
＜材質に関する実施形態＞
（１）ベースフィルム
プラスチックフィルムを幅広く各種のものを使用できる。プラスチックフィルムとしては、以下に挙げる単独フィルムあるいはそれらの複合フィルムを使用できる。
ポリエチレンテレフタレート（ＰＥＴ）、ＰＥＴ−Ｇ（テレフタル酸−シクロヘキサンジメタノール−エチレングリコール共重合体）、ポリ塩化ビニル、塩化ビニル−酢酸ビニル共重合体、ポリカーボネート、ポリアミド、ポリイミド、セルロースジアセテート、セルローストリアセテート、ポリスチレン系、ＡＢＳ、ポリアクリル酸エステル、ポリプロピレン、ポリエチレン、ポリウレタン、等である。
【００４２】
（２）水溶性ベースフィルム
水溶性フィルムとしては各種のものが市販されている。例えば、アイセロ化学株式会社製造の「ソルブロン（登録商標）」、東セロ株式会社製造の「トスロン（登録商標）」、日合フイルム株式会社製造の「ハイセロン（登録商標）」等である。冷水溶解型、温水溶解型（４０°Ｃ以上）、温水溶解型（６０°Ｃ以上）、温水溶解型（８０°Ｃ以上）、冷水分散型のように各種のグレードがあるので、耐水性としてどの程度の強度が必要か目的により選択してベースフィルムに使用する。厚みも２０μｍから５０μｍ程度の各種が市販されている。
【００４３】
（３）表面保護シート
プラスチックフィルムや紙基材を幅広く各種のものを使用できる。プラスチックフィルムとしてはベースフィルムと同様に、上記した各種の材料を使用でき、紙基材としては、上質紙、コート紙、クラフト紙、グラシン紙、合成紙、ラテックスやメラミン含浸紙、等を使用できる。
【００４４】
（４）水溶性樹脂層
水溶性樹脂としては、株式会社クラレ製のポリビニルアルコール樹脂「ポバール（登録商標）」が良く知られている。当該樹脂も使用できるが、カゼインやデンプン（オブラート等）であっても良く、カゼインやデンプンとポバールの混合材料であってもよい。あるいは水性糊やアラビアゴム糊、強固な塗膜を形成しないエマルジョン系接着剤、等を使用できる。
【００４５】
（５）水溶性導電性樹脂組成物インキ
水溶性樹脂に導電粒子、該水溶性樹脂を溶解する有機溶媒からなる組成物を印刷インキとすることができる。このものの水溶性樹脂としては、ポリビニルピロリドン、ポリビニルイソブチルエーテル、ポリエチレングリコール、メチルセルロース、２−ヒドロキシプロピルセルロース等のセルロース系樹脂が挙げられる。アクリルエマルジョンタイプのものであってもよい。導電粒子としては、銀、銅、ニッケルなどの金属粒子、導電性カーボン粒子、等を使用できる。粒径は０．１μｍから２５μｍ程度のものが好ましい。
【００４６】
（６）短絡材料
上記の水溶性導電性樹脂組成物インキを使用することができる。当該組成物からなるシルクスクリーンインキがインキ盛り量を大きくでき好ましい。あるいは数μｍ程度の厚みの金属箔を載置するか金属粉末材料を散粉するものであってもよい。
【００４７】
（３）接着剤、粘着剤
本明細書で接着剤という場合は、溶剤型や重合型、紫外線硬化型、エマルジョン型、熱溶融型等の各種のものをいい、いわゆる粘着剤型のものをも含むものとする。いずれであっても、双方の材料間を接着すれば目的を達成できるからである。
また、本明細書で粘着剤という場合は、徐々に粘度が顕著に上昇することなく、いつまでも中間的なタック状態を保つものをいうものとする。
接着剤、粘着剤の樹脂組成物としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。
【実施例１】
【００４８】
以下、実際の実施形態について実施例を用いて説明する。
（第１実施形態の情報記録媒体の製造）
情報記録媒体１０のベースフィルム１１ａとして、厚み４０μｍの水溶性フィルム（日合株式会社製「ハイセロン（登録商標）Ｃ−２００」）を使用し、ベースフィルム１１ｂとして、厚み４０μｍの透明２軸延伸ポリエステルフィルム（株式会社東レ製「ルミラー」（登録商標））を使用した。双方のベースフィルムに２５μｍ厚のアルミニュウム箔をドライラミネートし、これに感光性レジストを塗布した後、２つの平面コイル状のアンテナ構造１２ａ，１２ｂを有するフォトマスクを露光して感光させた。
露光現像後、フォトエッチングして、図１のような形態の非接触ＩＣタグ回路１２ａ，１２ｂを有するベースフィルム１１ａ，１１ｂが完成した。なお、１の平面コイルの外形は、ほぼ４５ｍｍ×７６ｍｍの大きさとなった。
【００４９】
上記ベースフィルム１１ａ，１１ｂの双方の平面コイルの両端部ｔ１，ｔ２に、平面サイズが１．０ｍｍ角、厚み１５０μｍであるＩＣチップ１３ａ，１３ｂをフェイスダウンの状態で熱圧をかけて装着した。この情報記録媒体１０のＩＣタグ回路１０ａ，１０ｂ形成面側に接着剤層５を介してコート紙を表面保護シート１としてラミネートした。
最後にベースフィルム１１ａ，１１ｂの背面に、１２μｍの粘着剤層６を介して剥離紙７を積層する粘着剤加工を行い、大きさ１１０ｍｍ×８２ｍｍに断裁して剥離紙付き情報記録媒体１０を完成した。
【００５０】
実施例１の情報記録媒体１０に対して、８ｃｍ離れた位置から非接触ＩＣタグ回路に対する書き込み読み取り試験をＩＣタグリーダライタ（株式会社ウェルトキャット製「ＲＣＴ−２００−０１」；１３．５６ＭＨｚ）を使用して行ったところ、双方の非接触ＩＣタグ回路１０ａ，１０ｂのＩＣチップ１３ａ，１３ｂに対して、同一の情報が記録されていることが確認できた。
【００５１】
実施例１の情報記録媒体１０を、３５°Ｃの水に１時間浸漬してから、再度前記ＩＣタグリーダライタで読み取りしたが、水溶性フィルムからなるベースフィルム１１ａ面に形成した非接触ＩＣタグ回路１０ａのＩＣチップ１３ａからは応答を得ることができなかった。なお、非接触ＩＣタグ回路１０ｂのＩＣチップ１３ｂからは正常な応答が得られた。
【実施例２】
【００５２】
（第２実施形態の情報記録媒体の製造）
情報記録媒体２０のベースフィルム２１として、厚み４０μｍの透明２軸延伸ポリエステルフィルム（株式会社東レ製「ルミラー」）に、２５μｍ厚のアルミニュウム箔をドライラミネートした基材を使用し、これに感光性レジストを塗布した後、３つの平面コイル状のアンテナ構造２２ａ，２２ｂ，２２ｃを有するフォトマスクを露光して感光させた。  露光現像後、フォトエッチングして、図３のような形態の非接触ＩＣタグ回路２０ａ，２０ｂ，２０ｃを有するベースフィルム２１が完成した。なお、１の平面コイルの外形が、ほぼ１７ｍｍ×４５ｍｍの大きさとなるようにした。
【００５３】
上記ベースフィルム２１の各平面コイルの両端部ｔ１，ｔ２に、平面サイズが１．０ｍｍ角、厚み１５０μｍであるＩＣチップ２３ａ，２３ｂ，２３ｃをフェイスダウンの状態で熱圧をかけて装着した。このベースフィルム２１の非接触ＩＣタグ回路２０ａのコイル状アンテナ構造２２ａの一部にアラビアゴム糊を厚め（３μｍ）に塗布してから、鱗片状アルミ粉を当該糊面に径１０ｍｍの円形に散粉して短絡材料３とした。このアンテナ構造２２ａ面、およびアンテナ構造２２ｂ，２２ｃ面に接着剤層５を介して、厚み４０μｍの上質紙を表面保護シート１としてラミネートした。最後にベースフィルム２１の背面に、１２μｍの粘着剤層６を介して剥離紙７を積層する粘着剤加工を行い、全体の大きさを７５ｍｍ×６０ｍｍに断裁して剥離紙付き情報記録媒体２０を完成した。
【００５４】
実施例２の情報記録媒体２０に対して、８ｃｍ離れた位置から非接触ＩＣタグ回路に対する書き込み読み取り試験をＩＣタグリーダライタ（株式会社ウェルトキャット製「ＲＣＴ−２００−０１」；１３．５６ＭＨｚ）を使用して行ったところ、双方の非接触ＩＣタグ回路２０ａ，２０ｂ，２０ｃのＩＣチップ２３ａ，２３ｂ，２３ｃに対して、同一の情報が記録されていることが確認できた。
【００５５】
実施例２の情報記録媒体２０を、２５°Ｃの水に３０分間浸漬してから、再度前記ＩＣタグリーダライタで読み取りしたが、非接触ＩＣタグ回路２０ａのＩＣチップ２３ａからは応答を得ることができなかった。他の非接触ＩＣタグ回路２０ｂ，２０ｃのＩＣチップ２３ｂ，２３ｃからは正常に応答を得ることができた。
【実施例３】
【００５６】
（第３実施形態の情報記録媒体の製造）
情報記録媒体３０のベースフィルム２１として、厚み４０μｍの透明２軸延伸ポリエステルフィルム（株式会社東レ製「ルミラー」）に、２５μｍ厚のアルミニュウム箔をドライラミネートした基材を使用し、これに感光性レジストを塗布した後、２つの平面コイル状のアンテナ構造３２ａ，３２ｂを有するフォトマスクを露光して感光させた。
なお、アンテナ構造３２ａについては、コイルの一部（図５の破線状円形Ｃ部分）が欠損しているフォトマスクを使用した。露光現像後、フォトエッチングしてから、欠損したコイルの一部を試作のポリビニルピロリドン系樹脂からなる導電性シルクスクリーンインキにより補う印刷を行い、図５のような形態の非接触ＩＣタグ回路３０ａ，３０ｂを有するベースフィルム３１が完成した。なお、１の平面コイルの外形が、ほぼ４５ｍｍ×７６ｍｍの大きさとなるようにした。
【００５７】
上記ベースフィルム３１の各平面コイルの両端部ｔ１，ｔ２に、平面サイズが１．０ｍｍ角、厚み１５０μｍであるＩＣチップ３３ａ，３３ｂをフェイスダウンの状態で熱圧をかけて装着した。このアンテナ構造３２ａ、３２ｂ面に接着剤層５を介して、厚み２０μｍのポリエステルフィルムを表面保護シート１としてラミネートした。なお、表面保護シート１の前記導電性シルクスクリーンインキ印刷部分には、あらかじめ１２ｍｍ×１２ｍｍの開口Ｓを形成しておいた。
最後にベースフィルム３１の背面に、１２μｍの粘着剤層６を介して剥離紙７を積層する粘着剤加工を行い、全体の大きさを１１０ｍｍ×８２ｍｍに断裁して剥離紙付き情報記録媒体３０を完成した。
【００５８】
実施例３の情報記録媒体３０に対して、８ｃｍ離れた位置から非接触ＩＣタグ回路に対する書き込み読み取り試験をＩＣタグリーダライタ（株式会社ウェルトキャット製「ＲＣＴ−２００−０１」；１３．５６ＭＨｚ）を使用して行ったところ、双方の非接触ＩＣタグ回路３０ａ，３０ｂのＩＣチップ３３ａ，３３ｂに対して、同一の情報が記録されていることが確認できた。
【００５９】
実施例３の情報記録媒体３０を、２５°Ｃの水に２時間浸漬してから、再度前記ＩＣタグリーダライタで読み取りしたが、非接触ＩＣタグ回路３０ａのＩＣチップ３３ａからは応答を得ることができなかった。なお、非接触ＩＣタグ回路３０ｂのＩＣチップ３３ｂからは正常に応答を得ることができた。
【図面の簡単な説明】
【００６０】
【図１】本発明の第１実施形態の情報記録媒体の平面図である。
【図２】同断面図である。
【図３】第２実施形態の情報記録媒体の平面図である。
【図４】同断面図である。
【図５】第３実施形態の情報記録媒体の平面図である。
【図６】同断面図である。
【符号の説明】
【００６１】
１    表面保護シート
２    水溶性樹脂層
３    短絡材料
４    短絡を防ぐための迂回回路
５    接着剤層
６    粘着剤層
７    剥離紙
１０，２０，３０    情報記録媒体
１０ａ，１０ｂ，２０ａ，２０ｂ，３０ａ，３０ｂ    非接触ＩＣタグ回路
１１ａ，１１ｂ，２１，３１    ベースフィルム
１２ａ，１２ｂ，２２ａ，２２ｂ，３２ａ，３２ｂ    アンテナ構造
１３ａ，１３ｂ，２３ａ，２３ｂ，３３ａ，３３ｂ    ＩＣチップ
Ｓ    開口
【図１】
2006350513.tif 000003
【図２】
2006350513.tif 000004
【図３】
2006350513.tif 000005
【図４】
2006350513.tif 000006
【図５】
2006350513.tif 000007
【図６】
2006350513.tif 000008